(57)【要約】【課題】    横漏れ防止性能に優れた使い捨ておむつを提供すること。【解決手段】  液透過性の表面シート２及び液保持性の吸収性コア４を有する吸収性本体５と、該吸収性本体５の両側それぞれに設けられた防漏カフ６，６とを備え、前記防漏カフ６は、少なくとも股下部Ｃにおいて起立可能になされており、股下部Ｃの前後に位置する部分Ａ，Ｂにおいて、吸収性本体５の上面側に固定されており、防漏カフ６に、おむつ止着用のファスニングテープ１１が取り付けられている使い捨ておむつ１。【選択図】    図１
2006081653.tif 000002
【特許請求の範囲】
【請求項１】
液透過性の表面シート及び液保持性の吸収性コアを有する吸収性本体と、該吸収性本体の両側それぞれに設けられた防漏カフとを備え、
前記防漏カフは、少なくとも股下部において起立可能になされており、股下部の前後に位置する部分において、該吸収性本体の上面側及び下面側に固定されており、
前記防漏カフに、おむつ止着用のファスニングテープが取り付けられている使い捨ておむつ。
【請求項２】
股下部における吸収性本体は、幅方向の両端部に、着用時に起立する起立部を有しており、各起立部には、起立部弾性部材が伸長状態で固定されている請求項１記載の使い捨ておむつ。
【請求項３】
股下部における吸収性コアに、屈曲補助部が形成されている請求項２記載の使い捨ておむつ。
【請求項４】
股下部における吸収性コアが、中央コアとその両側に配された側部コアとに分割されており、該中央コアと該各側部コアとの間が屈曲補助部として機能する請求項３記載の使い捨ておむつ。
【請求項５】
前記各起立部の下面に対向する部分又は該各部分よりおむつ幅方向外方に存する部分に、脚周り部弾性部材が固定されている請求項１〜４の何れか記載の使い捨ておむつ。
【請求項６】
前記各起立部は、その下面側から吸液可能であり、
前記起立部同士間、及び前記各起立部の下面に対向する部分に液不透過性の防漏シートが配されている請求項１〜５の何れか記載の使い捨ておむつ。
【発明の詳細な説明】
【技術分野】
【０００１】
本発明は、横漏れ防止性能に優れた使い捨ておむつに関する。
【背景技術】
【０００２】
従来、着用者の背側に配される部分の両側縁部に、おむつ止着用のファスニングテープが設けられた展開型の使い捨ておむつが広く知られている。
展開型のおむつとして、特許文献１には、中央部に平坦に位置する第１の吸収体とその両側に配置された第２の吸収体とを有し、弾性部材により、第２の吸収体に起立性向を付与した使い捨ておむつが記載されている。また、特許文献２には、おむつの側縁部から離れた部位に、シート材及び弾性部材からなる内方カフを設けた使い捨ておむつが記載され、特許文献３には、サイドフラップ及び／又はウエストフラップに沿うように第２のフラップを配設し、第２のフラップに第２の吸収体を配設した使い捨ておむつが記載されている。
【０００３】
【特許文献１】特開平３−１２３５５３号公報
【特許文献２】特表平９−５０４９７７号公報。
【特許文献３】特開平３−２６８７５３公報。
【発明の開示】
【発明が解決しようとする課題】
【０００４】
上述した各文献記載の使い捨ておむつにおいては、第２吸収体や内方カフ、第２のフラップ等が起立することで、排泄物の流れが一時的には堰き止められる。しかし、多量の尿が短時間に纏まって勢い良く排泄されたり、吸収されにくい水状便や軟便等が排泄された場合には、排泄物が、起立部分を乗り越えて移動し、移動した排泄物が、起立部分とおむつ側縁部との間に捕捉されずに、おむつ側縁部から漏れ出す恐れがある。
【０００５】
従って、本発明の目的は、横漏れ防止性能に優れた使い捨ておむつを提供することにある。
【課題を解決するための手段】
【０００６】
本発明は、液透過性の表面シート及び液保持性の吸収性コアを有する吸収性本体と、該吸収性本体の両側それぞれに設けられた防漏カフとを備え、前記防漏カフは、少なくとも股下部において起立可能になされており、股下部の前後に位置する部分において、該吸収性本体の上面側及び下面側に固定されており、前記防漏カフに、おむつ止着用のファスニングテープが取り付けられている使い捨ておむつを提供することにより前記目的を達成したものである。
【発明の効果】
【０００７】
本発明の使い捨ておむつは、横漏れ防止性能に優れており、また、装着時の密着性に優れ、フィット感が良く、装着者に違和感を与えにくいものである。
【発明を実施するための最良の形態】
【０００８】
以下本発明を、その好ましい実施形態に基づき図面を参照しながら説明する。
本発明の一実施形態としての使い捨ておむつ１（以下、おむつ１という）は、いわゆる展開型のおむつであり、図１〜４に示すように、液透過性の表面シート２及び液保持性の吸収性コア４を有する吸収性本体５と、該吸収性本体５の両側それぞれに設けられた防漏カフ６，６とを備えている。
【０００９】
おむつ１は、着用時に着用者の腹側に配される腹側部Ａと、着用者の背側に配される背側部Ｂと、その間に位置する股下部Ｃとに区分される。
腹側部Ａ、背側部Ｂ及び股下部Ｃは、例えば、展開且つ伸張状態（各部の弾性部材を伸張させ平面状に拡げた状態，図１に示す状態）のおむつを、おむつ長手方向（おむつ１における吸収性本体の長手方向）の全長を略３等分するように３領域に区分したときの各領域である。
【００１０】
図１に示すように、吸収性本体５は縦長矩形状をなし、概ねおむつの外形を形成している。
吸収性本体５は、図１〜図４に示すように、液透過性の表面シート２及び液保持性の吸収性コア４からなる。表面シート２は、矩形状をなし、吸収性コア４の上面の全域を被覆していると共に、吸収性コア４の下面側に巻き下げられた部分２１を有している。表面シート２の前記部分２１は、図示しない接着剤により吸収性コア４の両側部の下面に接合されている。表面シート２及び吸収性コア４は、表面シート２の前記部分２１を含めて一体化され吸収性本体５を形成している。
【００１１】
おむつ１における外装体１０は、少なくとも一枚の不織布製シートからなる。外装体１０は、矩形状をなしており、吸収性本体５と略同じ長さかそれより長い長さを有し、吸収性本体５と略同じ幅かそれより広い幅を有している。外装体１０は、吸収性本体５の下面側に配される樹脂フィルムからなる防漏シート３を覆っており、おむつ外面の感触や美観が良好である。
【００１２】
図３に示すように、股下部Ｃにおける吸収性本体５は、幅方向の両端部に、着用時に起立する起立部５１，５１を有している。また、各起立部５１は、それぞれの下面側から吸収性コア４に対して吸液可能になされている。
おむつ１における吸収性本体５は、股下部Ｃにおける両側縁５２それぞれから所定幅の部分が起立し、また、起立部５１の下面５１ａから吸液可能な構成として、起立部５１における、吸収性コア４よりも下側には液透過性の材料（表面シート２の前記部分２１）しか配されていない。
【００１３】
起立部５１の下面５１ａは、おむつを展開且つ伸長状態（図１参照）としたときに、外装体１０側に向けられる面である。起立部５１は、おむつを、図１に示すような展開且つ伸長状態から使用状態に変化させたときに、吸収性本体５の中央部分との間に角度を形成して立ち上がる。
【００１４】
おむつ１においては、起立部５１を起立させるための構成として、吸収性本体５の起立部５１それぞれに、立ち上げ用の起立部弾性部材５３を伸長状態で固定してある。具体的には、吸収性本体５の各側縁部５２の近傍に、該各側縁部と略平行に糸状又は帯状の弾性部材５３を伸長状態で固定してある。弾性部材５３は、腹側部Ａと背側部Ｂとの間に亘るように配されている。弾性部材５３は、少なくとも股下部Ｃに配されていることが好ましい。おむつ１における弾性部材５３は、表面シート２の折り返し部に固定してあるが、これに代えて、吸収性コア４とその上面側に位置する表面シート２との間、吸収性コア４とその下面側に位置する表面シート２の前記部分２１との間等に配することもできる。
【００１５】
おむつ１においては、起立部５１を起立性を高めるために、股下部Ｃにおける吸収性コア４に、屈曲性を向上させる屈曲補助部４４，４４を形成してある。屈曲補助部４４は、吸収性コア４、又は吸収性コア４を含む吸収性本体５を、屈曲補助部４４付近でおむつ幅方向に屈曲させ易くするものである。
【００１６】
おむつ１においては、屈曲補助部４４として、吸収性コア４に欠落部（吸収性コアの構成材料が実質的に存在しない部分）を形成してある。
具体的には、股下部Ｃにおける吸収性コア４を、図１及び図３に示すように、中央コア４２とその両側に配された側部コア４３，４３とから構成し、中央コア４２と側部コア４３との間に、屈曲補助部４４として機能する隙間を形成してある。屈曲補助部４４は、図３に示すように、おむつ幅方向の断面を見たときに、吸収性コア４の側縁部４１又は吸収性本体５の側縁部５２から離間した位置に形成されている。
【００１７】
おむつ１における屈曲補助部４４は、その長手方向の両端部が、吸収性コア４の側縁部４１ないし吸収性本体５の側縁部５２近傍まで達しており、起立部５１の起立性が一層向上しており、また、股下部Ｃに、前後左右に立ち上がり部を有する凹状のポケットが形成され易くなっている。
屈曲補助部４４としての欠落部（隙間）は、その幅が５〜６０ｍｍ、特に１５〜３５ｍｍであることが好ましい。中央コア４２とその両側に配された側部コア４３とはスリット等で分割されていても良い。おむつ１における屈曲補助部４４は、吸収性本体５の両側縁部５１から５〜５０ｍｍ、特に１０〜３０ｍｍ、おむつ幅方向内方に入り込んだ部位に存在することが好ましい（おむつ展開且つ伸張状態にて測定）。
【００１８】
中央コア４２は、図１に示すように、長手方向の中央部に括れた部分を有しており、その括れた部分の両側に、側部コア４３，４３が配されている。これにより、股下部Ｃに充分な吸収容量を確保しつつ、使用時における股下部Ｃの実質幅を低減させることができ、股下部のフィット性や装着時の操作性等の向上を図ることができる。尚、中央コア４２は、上部吸収層４２ａと下部吸収層４２ｂとが積層された２層構造を有している。
【００１９】
おむつ１における吸収性コア４は、中央コア４２及び側部コア４３を含めたその全体が、ティッシュペーパや透水性の不織布からなる透水性の被覆シート（図示略）で被覆されている。中央コア４２を構成する下部吸収層４２ａと上部吸収層４２ｂとは、吸収性コア４の上下両面を被覆する被覆シートに固定されて一体化されており、また、中央コア４２及びその両側の側部コア４３も、該被覆シートを介して一体化されている。これにより、弾性部材５３によって、吸収性コアの側部における長手方向の全体に起立性向が付与される。
【００２０】
また、屈曲補助部４４としての欠落部においては、吸収性コア４の上下両面を被覆する被覆シート同士が直接接合されており、そのため、吸収性コアの幅方向中央に位置する中央コア４２と、その左右両側に位置する側部コア４３との間の距離が安定に維持される。これにより、吸収性本体５が、屈曲補助部４４としての欠落部をヒンジ部としてより屈曲し易くなっており、弾性部材５３が配される部分においては吸収性本体５と防漏カフ６との間に凹状のポケットＰが形成され易くなっている。
【００２１】
吸収性本体５の長手方向の両側に設けられた防漏カフ６，６は、それぞれ、おむつ長手方向へ延びるように形成されている。
防漏カフ６は、図２〜図４に示すように、防漏カフ形成用シート６０、及び該防漏カフ形成用シート６０に伸張状態で固定された弾性部材６１ａ〜６１ｃによって形成されている。
【００２２】
防漏カフ６（防漏カフ形成用シート６０）は、腹側部Ａ及び背側部Ｂそれぞれにおいて、より具体的には、吸収性本体５の長手方向の両端部ＴＡ,ＴＢそれぞれにおいて、該吸収性本体５の両側部を、上面側５ａから下面側５ｂに亘って覆っており、吸収性本体５の長手方向の両端部ＴＡ，ＴＢそれぞれにおいて、吸収性本体５の上面側５ａにヒートシール、高周波シール、超音波シール、ホットメルト型の接着剤等の公知の接合手段の公知の接合手段により接合されている。
【００２３】
おむつ１においては、図４及び図５に示すように、防漏カフ６に、おむつ止着用のファスニングテープ１１が設けられている。ファスニングテープ１１は、図４に示すように、防漏カフ６の幅方向における、吸収性本体５の上面側において固定された上側固定部６８と、吸収性本体５の下面側において固定された上記固定部６７との間に固定されている。
おむつ１におけるファスニングテープ１１は、図５に示すように、テープ基材１２に、機械的面ファスナーのオス部材を固定して止着部１１ａを形成したものであり、腹側部Ａのおむつ外面を形成する、上記不織布製の外装体１０の外面に直接係合止着可能になされている。テープ基材１２は、短冊状をなし、その一端部に分岐部１３，１３を有している。そして、その分岐部１３，１３で防漏カフ６の一部を挟み込んだ状態で、ヒートシール、超音波シール、高周波シール、接着剤による接着等の公知の接合手段により防漏カフ６に強固に固定されている。テープ基材１２としては、樹脂フィルムや、樹脂フィルムと不織布とのラミネート、不織布、編み物、織物等、各種公知のものを用いることができ、伸長性や伸縮性を有するものを用いることもできる。
【００２４】
防漏カフ６は、図３に示すように、少なくとも股下部Ｃにおいて起立可能である。防漏カフ６の自由端６２には、弾性部材６１ａが自由端に沿って配されており、その近傍には、弾性部材６１ｂ及び６１ｃが、それぞれ自由端と平行に配されている。
【００２５】
防漏カフに配された複数本の弾性部材６１ａ〜６１ｃは、吸収性本体５の長手方向の両端部それぞれにおいて、該吸収性本体５の幅方向に並べた状態で固定されている。これにより、起立した防漏カフの自由端側の所定幅の部分が着用者の肌に面接触する。面接触させることにより、体への密着性を向上させて防漏性を向上させることができると共に肌にやさしく接触させることができる。
【００２６】
尚、本おむつ１においては、防漏カフ形成用シート６０として、所定幅の帯状の撥水性シート一枚を、その長手方向に沿う折り曲げ線で二つ折りして、相対向する層間をホットメルト型接着剤又は部分的な熱又は超音波シール等で接合した２層構造のシートを用いている。弾性部材６１ａ〜６１ｃは、この２層構造シートの層間に伸張状態で固定されている。
【００２７】
股下部Ｃにおける吸収性本体５は、図３に示すように、吸収性本体５の両側縁部５３よりもおむつ幅方向の内方に、防漏カフ形成用シート６０と相接合された固定部６７を有している。固定部６７は、ヒートシール、高周波シール、超音波シール、ホットメルト型の接着剤等の公知の接合手段により、防漏カフ形成用シート６０と、表面シート２の巻き下げられた部分２１とを接合して形成されている。おむつ１における固定部６７は、吸収性本体５の両側縁部５３から５〜５０ｍｍ、特に１０〜３０ｍｍ、おむつ幅方向内方に入り込んだ部位に存在することが好ましい（おむつ展開且つ伸張状態にて測定）。
固定部の位置は、固定部６７がおむつ幅方向にある程度の幅を有する場合、固定部６７のおむつ幅方向外側の端の位置を固定部の位置とする。また、吸収性本体５が、おむつ幅方向に複数の固定部を有する場合、最も外側に位置する固定部の外側の端の位置を固定部の位置とする。
【００２８】
防漏カフ６は、図３に示すように、固定部６７よりもおむつ幅方向の外方に、外装体１０から離れる立ち上がり開始点６８を有している。即ち、防漏カフ形成用シート６０は、固定部６７よりもおむつ幅方向の外方に、外装体１０と積層され接着されている領域を有している。具体的には、展開且つ伸長状態のおむつ１において、固定部６７の位置から、吸収性本体５の両側縁部５２と重なる位置をやや越えた位置までの範囲が、外装体１０と積層されており、その積層された部分の全体が後述する防漏シート３を介して接着剤により外装体１０に接着されている。そして、外装体１０と積層されている部分とその外側の外装体と積層されていない部分との境界部が立ち上がり開始点６８を形成している。固定部６７よりもおむつ幅方向の外方に、外装体１０から離れる立ち上がり開始点６８を有することにより、吸収性本体５の起立部５１と防漏カフ形成用シート６０との間に、大容量のポケットＰが形成され易くなる。
【００２９】
そして、図１に示すように、防漏カフ形成用シート６０と外装体１０との間に脚周り部弾性部材７が固定されている。脚周り部弾性部材７は、吸収性本体５の立ち上げ用の起立部弾性部材５３や防漏カフ形成用の弾性部材６１ａ〜６１ｃとは別に配されているもので、脚周りに対するフィット性を向上させるものである。おむつ１における脚周り部弾性部材７は、着用時に、着用者のそ径部にフィットする。
脚周り部弾性部材７は、防漏カフ形成用シート６０及び／又は外装体１０に塗布した接着剤８により、これら両者間に伸長状態で固定されている。
脚周り部弾性部材７が、防漏カフ形成用シート６０と外装体１０との間に固定されているという場合、両部材それぞれに直接接触している場合の他、両部材の内の一方又は両方との間に他のシート材が介在した状態で固定されている場合も含まれる。
【００３０】
おむつ１における脚周り部弾性部材７は、少なくとも股下部Ｃにおいて、固定部６７よりもおむつ幅方向の外方に固定されている。これにより、吸収性本体５の起立部５１と防漏カフ形成用シート６０との間のポケットＰの形成性が向上する。また、ポケットＰ内への排泄物の取り込み性及びポケットＰからの漏れだし防止性の観点から、脚周り部弾性部材７は、展開且つ伸長状態のおむつ１において、立ち上げ用の起立部弾性部材５３の配置位置よりおむつ幅方向外方に固定されていることが好ましい。
本おむつ１における脚周り部弾性部材７は、吸収性本体５の両側縁部５２のやや外側に、各側縁部５２に沿って配されている。また、脚周り部弾性部材７は、腹側部Ａと背側部Ｂとの間に亘るように配されている。弾性部材７は、少なくとも股下部Ｃに配されていることが好ましい。
【００３１】
おむつ１においては、図３に示すように、起立部同士間５５、及び各起立部５１の下面５１ａに対向する部分５７に、液不透過性の防漏シート３が配されている。起立部５１の下面５１ａに対向する部分５７とは、おむつを図１に示すように、展開且つ伸長状態（図１参照）としたときに、該下面５１ａと重なって存在する部分であり、該下面５１ａに対向する面から外装体１０の下面（外面）までを含む意味である。
おむつ１においては、図２〜図４に示すように、起立部同士間５５に配された防漏シート３ａと、各起立部５１の下面５１ａに対向する部分５７に配された防漏シート３ｂとが、一枚の連続したシート３である。
防漏シート３は、起立部同士間５５においては、吸収性コア４と外装体１０との間に配されており、各起立部５１の下面５１ａに対向する部分５７においては、防漏カフ形成用シート６０と外装体１０との間に配されている。シート３は、おむつ幅方向において、吸収性本体５の側縁部５２の位置又は立ち上げ用の起立部弾性部材５３の配置位置より外方まで存在していることが好ましく、更には、上述した立ち上がり開始部６８又はその先まで存在していることが好ましい。
【００３２】
本実施形態のおむつ１によれば、防漏カフ６にファスニングテープ１１が直接張り付けられているため、防漏カフ６を確実に広げて装着させることができるので、おむつ１の装着者に対する密着性に優れる。更に、吸収性本体を、装着者により密着させやすくできる。また、股下部Ｃの吸収体が起立することで装着者の股間部にスッキリとフィットすることでフィット感がより向上する。
【００３３】
また、股下部Ｃに、吸収性本体５の幅方向両端部に起立部５１を設けたため、前後左右に立ち上がり部を有する凹状のポケットが形成されやすく、そのポケット内からの排泄物の漏れだしが生じにくく、多量の尿が短時間にまとまって排泄されたり、吸収されにくい水状便や軟便等が排泄された場合等においても、その凹状のポケットから排泄物が漏れだし難い。
更に、立ち上げ用の起立部弾性部材５３により、凹状のポケットがそ径部へのフィット性が向上し、防漏性に優れたおむつとすることができる。
側部コア４３、４３に吸収性本体５の幅方向両端部側に形成された凹みにより、吸収性本体５が凹状のポケットを形成した際においても、湾曲形状となった側部コア４３の起立性とフィット性が優れたものとすることができる。
【００３４】
また、凹状のポケットから排泄物が漏れ出した場合であっても、吸収性本体５の両側に防漏カフ６が存在し、吸収性本体５の起立部５１と、防漏カフ形成用シート６０との間に排泄物の保持性に優れたポケットＰが形成され、しかも起立部５１がその下面５１ａ側から吸液可能であるため、その排泄物が、外装体１０の側縁部を越えて漏れ出すことを防止することができる。また、防漏カフ６によって、吸収性本体の側縁部が着用時に装着者の肌に直接接触しにくくなっているため、装着時の違和感を防止することもできる。
【００３５】
また、各起立部５１の下面に対向する部分に液不透過性のシート３が配されているため、ポケットＰ内の排泄物の滲み出しを防止でき、また、吸収性本体５の屈曲性を低下させないので、股下部Ｃの凹状のポケットや上述したポケットＰの形成性に優れている。
【００３６】
更に、着用時には、脚周り部弾性部材７が、着用者のそ径部にフィットすると共に、防漏カフ６の自由端近傍が、そ径部からやや内側に入った部分（排泄部寄りの位置）に当接する。そのため、脚周りに二重の防漏シートが形成され、モレ防止効果が高められる。
【００３７】
吸収性本体５の起立部５１と防漏カフ形成用シート６０との間に排泄物の保持性に優れたポケットＰを形成させる観点から、固定部６７の位置から脚周り部弾性部材７の固定位置までの距離（おむつ長手方向に直交する方向の距離、防漏カフ形成用シートの面に沿って測定）は、２０〜６０ｍｍ、特に３０〜５０ｍｍであることが好ましく、脚周り部弾性部材７の固定位置から自由端６２までの距離（同様に測定）は、２０〜７０ｍｍ、特に３０〜５０ｍｍであることが好ましく、前者と後者の比（前者／後者）は、０．３〜３、特に０．６〜２であることが好ましい。
【００３８】
上述したおむつ１の各部を構成材料としては、当該技術分野において通常用いられているものを特に制限なく用いることができる。
【００３９】
例えば、表面シート２としては、親水性且つ液透過性の不織布や、開孔フィルム等を用いることができる。また、排泄物の染み出し防止の観点から、部分的あるいは全体に撥水性の不織布を用いることもできる。防漏シート３としては、各種公知の液不透過性の材料を用いることができる。液不透過性の材料としては、樹脂フィルムや、樹脂フィルムと不織布等とのラミネート材等を用いることができる。
吸収性コア４としては、パルプ繊維等からなる繊維集合体、又は繊維集と吸水性ポリマーとからなるもの（吸水性ポリマーと繊維材料との混合積繊物等）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸収性コアを構成する繊維としては、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。
【００４０】
防漏カフ形成用のシート６０としては、スパンボンド・メルトブローン・スパンボンド等からなる多層構成の複合不織布、スパンボンド不織布、ヒートボンド不織布、エアスルー不織布等を用いることができ、柔軟性、耐水性などの点からスパンボンド、メルトブローンとからなる多層構造の不織布、坪量が１２ｇ／ｍ2程度の不織布が好ましい。
【００４１】
防漏カフ形成用シートは、ＪＩＳ  Ｌ１０９２（１９９８年度）繊維製品の防水性試験方法における、耐水度試験（低水圧法）に準じて測定した耐水圧が３ｃｍ以上であることが好ましく、より好ましくは５ｃｍ以上である。耐水圧の測定の際には、水を入れた水準装置を１０±０．５ｃｍ／ｍｉｎの速度で上昇させ、試験片の裏側に３カ所から水がでたことを目視にて観察し、その時点の水位を測定する。尚、試験片の取り付けが完了したら遅滞なく測定する。
【００４２】
防漏カフ形成用の弾性部材６１ａ〜６１ｃの形態としては、糸状のもの（糸ゴム等）、所定幅の帯状のもの（平ゴム等）等が好ましく、特に糸状のものが好ましい。また、吸収性本体５の立ち上げ用の起立部弾性部材５３、及び脚周り部弾性部材７の形態としては、糸状のもの（糸ゴム等）、所定幅の帯状のもの（平ゴム等）、薄膜状のもの等を用いることができ、それぞれ、糸状のものが好ましい。弾性部材６１ａ〜６１ｃ，５３，７の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００４３】
次に、本発明の第２実施形態の使い捨ておむつ１’について図６及び図７を参照して説明する。第２実施形態のおむつ１’については、主として、上述したおむつ１との相違点を説明し、同様の点については、同一の符号を付して説明を省略する。特に説明しない点については、上述したおむつ１についての説明が適宜適用される。
【００４４】
おむつ１’における吸収性本体５’は、図６及び図７に示すように、液透過性の表面シート２、液不透過性の防漏シート３１、及びこれら両シート２，３１間に介在された液保持性の吸収性コア４からなる。表面シート２は、吸収性コア４の下面側に巻き下げられた部分２１を有し、該部分２１は、図示しない接着剤により吸収性コア４及び防漏シート３１の下面に接合されている。表面シート２，吸収性コア４及び防漏シート３１は、前記部分２１を含めて一体化され吸収性本体５’を形成している。
おむつ１’においては、起立部５１の下面５１ａから吸液可能な構成として、比較的幅の狭い矩形状の防漏シート３１を、吸収性コア４の幅方向の中央部分のみに配してある。
【００４５】
おむつ１’においては、図７に示すように、起立部同士間５５に配された防漏シート３１と、各起立部５１の下面５１ａに対向する部分５７に配された防漏シート３２とが、別体のシートであり、防漏カフ形成用シート６０と吸収性本体５’との固定部６７において、厚み方向に一体化して連結してある。これにより、おむつ幅方向に連続する防漏層が形成されている。
【００４６】
おむつ１’における防漏カフ６は、防漏カフ形成用部材６Ａによって形成されている。防漏カフ形成用部材６Ａは、一枚の撥水性不織布からなる防漏カフ形成用シート６０を自由端６２で折り返して２層構造としたもの、弾性部材６１ａ〜６１ｃ、脚周り部弾性部材７、及び防漏シート３２からなる。弾性部材６１ａ〜６１ｃ、脚周り部弾性部材７及び防漏シート３２は、何れも、２層構造とされた防漏カフ形成用シート６０間に固定されている。
【００４７】
防漏カフ６は、防漏カフ形成用シート６０又は防漏カフ形成用部材６Ａにおける、吸収性本体５’に固定された固定部６７側（固定部６７から所定幅の部分）に、液不透過性の防漏シート３２とその両側に張り合わされた防漏カフ形成用シート６０からなる３層構造部分を有し、防漏カフの自由端６２側（自由端６２から所定幅の部分）に、防漏シート３２が積層されていない、防漏カフ形成用シート６０のみからなる部分（不織布のみからなる部分）を有している。防漏カフ形成用シート６０は、柔軟で通気性のある不織布からなることが好ましい。
【００４８】
防漏シート３２は、おむつ幅方向において、吸収性本体５’の側縁部５２の位置又は立ち上げ用の起立部弾性部材５３の配置位置より外方まで存在していることが好ましく、更には、上述した立ち上がり開始部６８又はその先まで存在していることが好ましい。
【００４９】
第２実施形態のおむつ１’においても、図７に示すように、背側部Ｂにおける、防漏カフ６に、ファスニングテープ１１が取り付けられている。
おむつ１’によれば、上述したおむつ１と同様の作用効果が奏される。
【００５０】
以上、本発明の好ましい実施形態について説明したが、本発明は、上述した実施形態に制限されず、本発明の趣旨を逸脱しない範囲で種々変更が可能である。
【００５１】
例えば、防漏カフ６に固定するファスニングテープ１１は、図８（ａ）に示すように、分岐部を有しないテープ基材１１に止着部１１ａを設けたものであっても良い。また、図８（ｂ）に示すように、防漏カフ６とテープ基材１１との間にパネル材１４を介在させても良い。また、機械的面ファスナーのオス部材からなる止着部１１ａに代えて、テープ基材に粘着剤を塗布して形成した粘着部を止着部１１ａとすることもできる。この場合には、外装体１０外面にランディングテープに貼着してランディングゾーンとすることが好ましい。
【００５２】
また、屈曲補助部４４としては、欠落部に代えて、厚み削減部（吸収性コアの構成材料の積層される坪量の削減等により、吸収性コアの厚みが削減された部分）や、エンボス処理部（エンボス処理されることで、その部分が屈曲しやすくなるようにした部分）等を設けることもできる。
【００５３】
また、おむつ１’における防漏シート３２は、防漏カフ形成用部材６Ａの内部に配するのに代えて、該部材の両面の何れか一方の面上に積層固定することもできる。
【００５４】
また、本発明の使い捨ておむつは、一方のファスニングテープに設けた止着部を介して、両ファスニングテープ同士を連結し、連結状態のファスニングテープに、おむつ長手方向の反対側に設けた第２の止着部を止着して装着するようにした使い捨ておむつであっても良い。第２の止着部としては、止着部１１ａと同様のものを用いることができる。ファスニングテープは、伸縮性のパネル材に樹脂フィルム等からなるテープ基材を固定し、該テープ基材に止着部を設けたもの等であっても良い。
【００５５】
また、本発明の使い捨ておむつは、背側に配される部分と腹側に配される部分とが予め決められておらず、長手方向の両端部の内のファスニングテープを有する方を、着用者の背側及び腹側の何れに配しても装着可能なおむつであっても良い。本発明の使い捨ておむつは、幼児又は成人用の何れでも良いが、幼児用に適している。
【図面の簡単な説明】
【００５６】
【図１】図１は、本発明の一実施形態としての使い捨ておむつを示す図で、各部の弾性部材を伸張させ平面状に拡げた状態（展開且つ伸長状態）を一部破断して示す平面図である。
【図２】図２は、図１のＩ−Ｉ線断面を模式的に示す断面図である。
【図３】図３は、おむつ使用状態における図１のＩＩ−ＩＩ線断面を模式的に示す断面図である。
【図４】図４は、図１のＩＩＩ−ＩＩＩ線断面を模式的に示す断面図である。
【図５】図５は、図１に示すおむつのファスニングテープの詳細を示す模式断面図である。
【図６】図６は、本発明の他の実施形態としての使い捨ておむつを示す図で、図３に相当する股下部の断面を模式的に示す断面図である。
【図７】図７は、本発明の他の実施形態としての使い捨ておむつを示す図で、図４に相当する断面を模式的に示す断面図である。
【図８】図８は、ファスニングテープの構成の他の例を示す断面図（図５相当図）である。
【符号の説明】
【００５７】
１，１’  使い捨ておむつ
２  表面シート
３，３１，３２  液不透過性の防漏シート
４  吸収性コア
５，５’  吸収性本体
６  防漏カフ
６０  防漏カフ形成用シート
１０  外装体
Ａ  腹側部
Ｂ  背側部
Ｃ  股下部
【図１】
2006081653.tif 000003
【図２】
2006081653.tif 000004
【図３】
2006081653.tif 000005
【図４】
2006081653.tif 000006
【図５】
2006081653.tif 000007
【図６】
2006081653.tif 000008
【図７】
2006081653.tif 000009
【図８】
2006081653.tif 000010